(57)【要約】   【課題】  アプリケーションファイルを開く際のみならず、終了して閉じる際にも、入力内容や操作内容が正しいことを確認せしめるセキュリティ設定を施し、過誤入力や不正入力などを効果的に低減せしめたアプリケーションを提供する。  【解決手段】  アプリケーションで利用される各々のアプリケーションファイルに、アプリケーションでアプリケーションファイルを開くためのオープン暗証コードと、アプリケーションで開いているアプリケーションファイルを正常終了して閉じるためのクローズ暗証コードを設定し、オープン暗証コードの入力を受けてアプリケーションファイルを開くアプリケーションファイル開錠機能と、クローズ暗証コードの入力を受けて、開いている状態のアプリケーションファイルを正常終了して閉じるアプリケーションファイル閉錠機能を備えたアプリケーションである。【選択図】  図１
2019029040.tif 000002
【特許請求の範囲】
【請求項１】
訪問者が被訪問者の所在地を訪ねてサービス提供者とサービス被提供者の間で医療保険または介護保険の対象となるサービス提供を支援する保険対象サービス提供支援システムで利用可能な保険対象サービス提供支援アプリケーションであって、
前記サービス提供を行う前記サービス提供者が所持するサービス提供者端末を備え、前記保険対象サービス提供支援アプリケーションが前記サービス提供者端末に格納された構成であり、
前記保険対象サービス提供支援アプリケーションが、保険支払請求において必要な諸データを入力すれば、レセプト作成処理とレセプトの送付処理を実行するものであり、保険請求事務に適用されるアプリケーションであり、データ入力機能、レセプトデータ作成機能、レセプトデータ出力機能を備えたものであり、
前記保険対象サービス提供支援アプリケーションで利用される各々の保険対象サービス提供支援アプリケーションファイルに、前記保険対象サービス提供支援アプリケーションで前記保険対象サービス提供支援アプリケーションファイルを開くためのオープン暗証コードと、前記保険対象サービス提供支援アプリケーションで開いている前記保険対象サービス提供支援アプリケーションファイルを正常終了して閉じるためのクローズ暗証コードが設定されたものであり、
前記オープン暗証コードの入力を受けて前記保険対象サービス提供支援アプリケーションファイルを開くアプリケーションファイル開錠機能と、
前記クローズ暗証コードの入力を受けて、開いている状態の前記保険対象サービス提供支援アプリケーションファイルを正常終了して閉じるアプリケーションファイル閉錠機能を備えたことを特徴とする保険対象サービス提供支援アプリケーション。
【請求項２】
前記保険対象サービス提供支援アプリケーションファイルに、前記オープン暗証コードと前記クローズ暗証コードに加え、前記保険対象サービス提供支援システム上から該当する前記保険対象サービス提供支援アプリケーションファイルを選択するための選択起動暗証コードと、前記アプリケーションファイル閉錠機能により正常終了して閉じた前記保険対象サービス提供支援アプリケーションファイルを非選択とする選択解除暗証コードが設定されたものであり、
前記選択起動暗証コードの入力を受けて前記保険対象サービス提供支援システム上に格納されているものから該当する前記保険対象サービス提供支援アプリケーションファイルを選択するアプリケーションファイル選択起動機能と、
前記選択解除暗証コードの入力を受けて、前記アプリケーションファイル閉錠機能により正常終了して閉じた状態の前記保険対象サービス提供支援アプリケーションファイルを非選択状態とするアプリケーションファイル選択解除機能を備えたことを特徴とする請求項１に記載の保険対象サービス提供支援アプリケーション。
【請求項３】
請求項１に記載の保険対象サービス提供支援アプリケーションを備えた保険対象サービス提供支援システムであって、
前記保険対象サービス提供支援アプリケーションが、前記アプリケーションファイル開錠機能と、医療業務関連機能と、前記アプリケーションファイル閉錠機能を備え、
前記アプリケーションファイル開錠機能を介して前記保険対象サービス提供支援アプリケーションファイルが操作可能となった後に前記医療業務関連機能の利用が可能となり、前記アプリケーションファイル閉錠機能を介して前記保険対象サービス提供支援アプリケーションファイルが終了する際に連動してまたは終了する前に独立して前記医療業務関連機能が終了することを特徴とした保険対象サービス提供支援システム。
【請求項４】
請求項２に記載の保険対象サービス提供支援アプリケーションを備えた保険対象サービス提供支援システムであって、
前記保険対象サービス提供支援アプリケーションが、前記アプリケーションファイル開錠機能と、医療業務関連機能と、前記アプリケーションファイル閉錠機能を備え、
前記アプリケーションファイル開錠機能を介して前記保険対象サービス提供支援アプリケーションファイルが操作可能となった後に前記医療業務関連機能の利用が可能となり、前記アプリケーションファイル閉錠機能を介して前記保険対象サービス提供支援アプリケーションファイルが終了する際に連動してまたは終了する前に独立して前記医療業務関連機能が終了することを特徴とした保険対象サービス提供支援システム。
【請求項５】
前記サービス提供者の特定が可能な第１のサービス提供者ＩＤ情報のデータ授受を可能とした第１のサービス提供者ＩＤ情報授受手段と、
前記サービス被提供者の特定が可能な第１のサービス被提供者ＩＤ情報のデータ授受を可能とした第１のサービス被提供者ＩＤ情報授受手段を備え、
前記第１のサービス提供者ＩＤ情報を前記オープン暗証コードとして入力して前記アプリケーションファイル開錠機能を機能させ、前記第１のサービス被提供者ＩＤ情報を前記クローズ暗証コードとして入力して前記アプリケーションファイル閉錠機能を機能させる暗証コード制御手段を備えたことを特徴とする請求項３に記載の保険対象サービス提供支援システム
【請求項６】
前記サービス提供者の特定が可能な第１のサービス提供者ＩＤ情報のデータ授受を可能とした第１のサービス提供者ＩＤ情報授受手段と、
前記サービス被提供者の特定が可能な第１のサービス被提供者ＩＤ情報のデータ授受を可能とした第１のサービス被提供者ＩＤ情報授受手段と、
前記サービス被提供者に預託され、前記サービス提供者に対して前記サービス被提供者の個人情報または所在地情報に関連付けられた第２のサービス被提供者ＩＤ情報のデータ授受を可能とした第２のサービス被提供者ＩＤ情報授受手段を備え、
前記第２のサービス被提供者ＩＤ情報を前記選択起動暗証コードとして入力して前記アプリケーションファイル選択起動機能を機能させ、前記第１のサービス提供者ＩＤ情報を前記オープン暗証コードとして入力して前記アプリケーションファイル開錠機能を機能させ、前記第１のサービス被提供者ＩＤ情報を前記クローズ暗証コードとして入力して前記アプリケーションファイル閉錠機能を機能させ、前記第２のサービス被提供者ＩＤ情報を前記選択解除暗証コードとして入力して前記アプリケーションファイル選択解除機能を機能させる暗証コード制御手段を備えたことを特徴とする請求項４に記載の保険対象サービス提供支援システム。
【請求項７】
前記第１のサービス提供者ＩＤ情報が、前記サービス提供者の生体情報であり、前記第１のサービス提供者ＩＤ情報授受手段が、前記サービス提供者の生体情報を読み取り可能な前記サービス提供者端末の生体認識デバイスであり、
前記第１のサービス被提供者ＩＤ情報が、前記サービス被提供者の生体情報であり、前記第１のサービス被提供者ＩＤ情報授受手段が、前記サービス被提供者の生体情報を読み取り可能な前記サービス提供者端末の生体認識デバイスであることを特徴とする請求項５に記載の保険対象サービス提供支援システム。
【請求項８】
前記訪問者が前記サービス提供者であり、前記被訪問者が前記サービス被提供者であり、前記保険対象サービス提供支援システムが訪問型サービス提供を支援するシステムであり、
前記第２のサービス被提供者ＩＤ情報が、前記サービス被提供者の所在地ＩＤ情報であり、前記第２のサービス被提供者ＩＤ情報授受手段が、前記所在地に据え付けられて前記所在地ＩＤ情報を提供する発信機器と、それとデータ授受可能な前記サービス提供者端末のデバイスとの組み合わせであり、
前記第１のサービス提供者ＩＤ情報が、前記サービス提供者の生体情報であり、前記第１のサービス提供者ＩＤ情報授受手段が、前記サービス提供者の生体情報を読み取り可能な前記サービス提供者端末の生体認識デバイスであり、
前記第１のサービス被提供者ＩＤ情報が、前記サービス被提供者の生体情報であり、前記第１のサービス被提供者ＩＤ情報授受手段が、前記サービス被提供者の生体情報を読み取り可能な前記サービス提供者端末の生体認識デバイスであることを特徴とする請求項６に記載の保険対象サービス提供支援システム。
【請求項９】
前記訪問者が前記サービス提供者であり、前記被訪問者が前記サービス被提供者であり、前記保険対象サービス提供支援システムが訪問型サービス提供を支援するシステムであり、
前記第２のサービス被提供者ＩＤ情報が、前記サービス被提供者の所在地ＩＤ情報であり、前記第２のサービス被提供者ＩＤ情報授受手段が、前記所在地に据え付けられて前記所在地ＩＤ情報を提供する発信機器と、それとデータ授受可能な前記サービス提供者端末のデバイスとの組み合わせであり、
前記第１のサービス提供者ＩＤ情報が、前記サービス提供者が携帯するサービス提供者ＩＣカード内に記録された情報であり、前記第１のサービス提供者ＩＤ情報授受手段が、前記サービス提供者ＩＣカードから情報を読み取り可能な前記サービス提供者端末の情報読み取りデバイスであり、
前記第１のサービス被提供者ＩＤ情報が、前記サービス被提供者の生体情報であり、前記第１のサービス被提供者ＩＤ情報授受手段が、前記サービス被提供者の生体情報を読み取り可能な前記サービス提供者端末の生体認識デバイスであることを特徴とする請求項８に記載の保険対象サービス提供支援システム。
【請求項１０】
前記訪問者が前記サービス提供者であり、前記被訪問者が前記サービス被提供者であり、前記保険対象サービス提供支援システムが訪問型サービス提供を支援するシステムであり、
前記第２のサービス被提供者ＩＤ情報が、前記サービス被提供者の所在地のＧＰＳ情報であり、前記第２のサービス被提供者ＩＤ情報授受手段が、ＧＰＳシステムから当該所在地のＧＰＳ情報のデータ授受可能な前記サービス提供者端末のデバイスとの組み合わせであり、
前記第１のサービス提供者ＩＤ情報が、前記サービス提供者の生体情報であり、前記第１のサービス提供者ＩＤ情報授受手段が、前記サービス提供者の生体情報を読み取り可能な前記サービス提供者端末の生体認識デバイスであり、
前記第１のサービス被提供者ＩＤ情報が、前記サービス被提供者の生体情報であり、前記第１のサービス被提供者ＩＤ情報授受手段が、前記サービス被提供者の生体情報を読み取り可能な前記サービス提供者端末の生体認識デバイスであることを特徴とする請求項６に記載の保険対象サービス提供支援システム。
【請求項１１】
前記訪問者が前記サービス提供者であり、前記被訪問者が前記サービス被提供者であり、前記保険対象サービス提供支援システムが訪問型サービス提供を支援するシステムであり、
前記第２のサービス被提供者ＩＤ情報が、前記サービス被提供者の所在地のＧＰＳ情報であり、前記第２のサービス被提供者ＩＤ情報授受手段が、ＧＰＳシステムから当該所在地のＧＰＳ情報のデータ授受可能な前記サービス提供者端末のデバイスとの組み合わせであり、
前記第１のサービス提供者ＩＤ情報が、前記サービス提供者が携帯するサービス提供者ＩＣカード内に記録された情報であり、前記第１のサービス提供者ＩＤ情報授受手段が、前記サービス提供者ＩＣカードから情報を読み取り可能な前記サービス提供者端末の情報読み取りデバイスであり、
前記第１のサービス被提供者ＩＤ情報が、前記サービス被提供者の生体情報であり、前記第１のサービス被提供者ＩＤ情報授受手段が、前記サービス被提供者の生体情報を読み取り可能な前記サービス提供者端末の生体認識デバイスであることを特徴とする請求項６に記載の保険対象サービス提供支援システム。
【請求項１２】
前記訪問者が前記サービス被提供者であり、前記被訪問者が前記サービス提供者であり、前記保険対象サービス提供支援システムが来院型サービス提供を支援するシステムであり、
前記第２のサービス被提供者ＩＤ情報が、前記サービス被提供者が携帯するサービス被提供者ＩＣカード内に記録された情報であり、前記第２のサービス被提供者ＩＤ情報授受手段が、前記サービス被提供者ＩＣカードとデータ授受可能な前記サービス提供者端末の情報読み取りデバイスであり、
前記第１のサービス提供者ＩＤ情報が、前記サービス提供者が携帯するサービス提供者ＩＣカード内に記録された情報であり、前記第１のサービス提供者ＩＤ情報授受手段が、前記サービス提供者ＩＣカードとデータ授受可能な前記サービス提供者端末の情報読み取りデバイスであり、
前記第１のサービス被提供者ＩＤ情報が、前記サービス被提供者の生体情報であり、前記第１のサービス被提供者ＩＤ情報授受手段が、前記サービス被提供者の生体情報を読み取り可能な前記サービス提供者端末の生体認識デバイスであることを特徴とする請求項６に記載の保険対象サービス提供支援システム。
【請求項１３】
前記訪問者が前記サービス被提供者であり、前記被訪問者が前記サービス提供者であり、前記保険対象サービス提供支援システムが来院型サービス提供を支援するシステムであり、
前記第２のサービス被提供者ＩＤ情報が、前記サービス被提供者が携帯するサービス被提供者ＩＣカード内に記録された情報であり、前記第２のサービス被提供者ＩＤ情報授受手段が、前記サービス被提供者ＩＣカードとデータ授受可能な前記サービス提供者端末の情報読み取りデバイスであり、
前記第１のサービス提供者ＩＤ情報が、前記サービス提供者の生体情報であり、前記第１のサービス提供者ＩＤ情報授受手段が、前記サービス提供者の生体情報を読み取り可能な前記サービス提供者端末の生体認識デバイスであり、
前記第１のサービス被提供者ＩＤ情報が、前記サービス被提供者の生体情報であり、前記第１のサービス被提供者ＩＤ情報授受手段が、前記サービス被提供者の生体情報を読み取り可能な前記サービス提供者端末の生体認識デバイスであることを特徴とする請求項６に記載の保険対象サービス提供支援システム。
【請求項１４】
前記第１のサービス被提供者ＩＤ情報授受手段が、前記サービス被提供者に前記サービスの内容を表示する表示手段と、前記表示手段で表示された前記サービスの内容が正当であることを示す承認情報として制御する承認手段を備え、
前記承認手段を介して、前記サービス被提供者から得られた前記承認情報の入力ができ、前記承認情報が前記第１のサービス被提供者ＩＤ情報であることを特徴とする請求項８または５から１３のいずれかに記載の保険対象サービス提供支援システム。
【発明の詳細な説明】
【技術分野】
【０００１】
本発明は、コンピュータシステムで稼働するアプリケーションに関する。特に、正常に開いて使用を開始し、正常に使用を終了して閉じることを確保せしめたアプリケーションに関する。アプリケーションのコンピュータシステムの適用例として、医療、看護、療養、介護またはリハビリテーションなどのサービス提供者が、患者に対するサービス提供を支援するとともにそれらサービス提供が正しく行われたセキュリティを向上する保険対象サービス支援システムに関するものを挙げる。
上記のコンピュータシステムの適用例である保険対象サービス支援システムにおいて、サービスとは、医療、看護、療養、介護またはリハビリテーションにおいて提供される各種の行為、各種の薬剤提供、各種の機器利用などを言うものとする。また、サービス提供者とは、医師、看護師、歯科医師、歯科衛生士、あん摩マッサージ指圧師、柔道整復師、介護福祉士、理学療法士など、利用者に対して保険適用が可能なサービスを提供し、報酬を得る者を言うものとする。いわゆる来院型のサービス提供も、いわゆる訪問型のサービス提供も対象に含むものである。さらに、保険請求まで支援できるものも対象とする。
【背景技術】
【０００２】
コンピュータシステムにおいて、様々なアプリケーションが稼働しており、様々なセキュリティ対策も行われている。セキュリティ対策の意味合いは広いが、例えば、アプリケーションで利用するアプリケーションファイルへアクセスする正当権限者のみがアプリケーションファイルが利用できるように、アプリケーションファイルにアクセスして開く際にパスワードの入力をはじめ、様々なコード情報の入力を求める対策は広く採用されている。セキュリティレベルによるが、単純にキーボードからパスワードを入力させるものや、パスワードとともに携帯しているＩＣカードからＩＤ情報を入力させるものや、パスワードと指紋や静脈パターンなどの生体情報を入力させるものなどがある。また、一人の操作だけでは不十分とし、複数の権限者のパスワードやＩＤ情報等が揃ってようやくアプリケーションファイルを開くことができるものもある。このように、アプリケーションファイルを開いて操作可能状態とするためには高度なセキュリティが設定されているアプリケーションはある。
【０００３】
アプリケーションが立ち上がってアプリケーションファイルが操作可能状態となれば、利用者はアプリケーションを使用してアプリケーションファイルを編集することができるが、アプリケーションの操作中、さらに、特別な機能を使用したりする際には、別途、個別にパスワードやＩＤ情報などが求められる場合もあり得る。
このように、アプリケーションファイルを開いたり、特別な機能を使用したりする場合には、セキュリティが設定されていることがあり得る。しかし、逆に、アプリケーションの利用が終了してアプリケーションファイルを閉じる際や、特別な機能の使用を終了する際には、終了すること自体には特段何らのパスワードやＩＤ情報の入力等を求められることはなく、セキュリティ設定がされているものはない。ほとんどのものは“終了”や“閉じる”というコマンドの入力やボタン押下で単純に終了できる。
【０００４】
図１５は、一般的なアプリケーションを立ち上げてアプリケーションファイルを開き、その後、終了して閉じる操作を簡単に説明する図である。一例であり、アプリケーションファイルを開いたり閉じたりする典型的な操作である。
図１５（ａ）に示すように、アプリケーション１０は、コンピュータシステム上にインストールされており、利用者がアプリケーション１０を使用しようとする際には、コンピュータシステムのモニタ上に表示されているアプリケーション１０のアイコンをマウスなどのポインティングデバイスなどで選択し、ダブルクリックなどの操作で起動をかければアプリケーション１０が起動する。
【０００５】
また、アプリケーション１０で編集可能な各々のアプリケーションファイル２０ａ，２０ｂ，２０ｃなどもコンピュータシステム上にインストールされており、各々のアイコンがコンピュータシステムのモニタ上に表示されている。利用者が編集しようとするアプリケーションファイル２０のアイコンをマウスなどのポインティングデバイスなどで選択し、ダブルクリックなどの操作で起動をかければ、アプリケーション１０が立ち上がるとともにアプリケーションファイル２０が読み込まれてアプリケーション１０を用いて編集可能な状態となり、データの内容がモニタ上に表示される。
【０００６】
ここで、セキュリティが設定されているアプリケーションファイル２０であれば、図１５（ｂ）の上段に示すように、使用権限を確認すべくパスワードの入力カラムがポップアップされる。このように、アプリケーションファイル２０の編集などアプリケーション１０の使用を開始する前にはパスワードの入力が求められる運用がある。なお、アプリケーション１０によってはパスワードに加えてＩＣカードからのＩＤ情報の入力や生体情報の入力を求めるものもある。
図１５（ｂ）の上段に示すように、キーボードや他の入力デバイスなどを介して、アプリケーションファイル２０を正常に開いて使用可能とするために求められたパスワードやコード情報などを入力し、その認証に成功して設定されたセキュリティレベルを満たした場合には、アプリケーションファイル２０がオープンして使用可能となる。
【０００７】
次に、図１５（ｂ）の下段に示すように、アプリケーションファイル２０の所望の編集が終了すれば、モニタ上に表示されているアプリケーション１０の入力画面の“終了”や“閉じる”という操作メニューやボタンをマウスなどのポインティングデバイスなどで選択してクリックなどの操作で指定すれば、アプリケーション１０が単純に終了し、アプリケーションファイル２０が閉じられる。
ほとんどのアプリケーション１０では、アプリケーションファイル２０を閉じる際には特別なパスワードやＩＤ情報の入力等を求められることはなく、ほとんどのアプリケーション１０は単純に終了してアプリケーションファイル２０を閉じることができる。
【０００８】
つまり、アプリケーションファイル２０のアクセスに際しては、使用しようとする者が正当な使用権限がある者か否かを確認するため、様々なセキュリティレベルに基づく情報の入力を求めるが、使用開始時に一度、使用権限の認証が成功すれば、その後はその使用権限者がその権限のもと正しく使用されることが前提であり、終了もその権限のもと正しく終了することが前提となっており、アプリケーションファイル２０の編集終了後に閉じる際にはパスワードの入力など特段のセキュリティ設定を行っていない。もっとも操作エラーなどで操作不能に陥ったり、システムエラーが発生したりなどの不具合によって正常ではない形で強制終了したりすることはあり得るが、操作エラーやシステムエラーなどがなく、操作自体が正常であれば、アプリケーション１０は単純に終了してアプリケーションファイル２０を閉じることができる。
【０００９】
近年、スタンドアロン型で稼働するコンピュータシステムのみならず、ネットワークなどで接続され、複数のコンピュータシステムが連動して業務を実行するものが増えてきている。しかし、アプリケーション１０を立ち上げてアプリケーションファイル２０開き、その後、終了して閉じるというアプリケーション１０の利用のルーチンは、ネットワーク環境でも同様であり、ネットワークにログインする際にはパスワードやＩＤコードの入力などセキュリティが求められ、ネットワークを介してアプリケーションファイル２０にアクセスする際にもパスワードやＩＤコードの入力などセキュリティが求められるが、アプリケーションファイル２０を閉じる際には、何ら特段のパスワードやＩＤ情報の入力は必要ではなく、単に終了して閉じることができる。
【００１０】
具体的な業務システムを例に説明を続ける。
図１６は、アプリケーションを使用する業務システムの一例として保険請求システムについて簡単に説明する図である。
まず、保険請求システムが取り扱う業務サービスについて用語も含めて簡単に説明しておく。
健康保険制度や国民健康保険制度の下では、保険適用が可能な医療、看護、療養、介護またはリハビリテーションなどのサービス提供において、利用者に対する診療内容、看護内容、歯科診療内容、施術内容ごとに診療報酬や療養費、介護報酬が決められており、請求者は診療報酬のルールに則り、診療報酬明細書（以下レセプトという。）を作成し、そのレセプトをもとに保険者（市町村国民保健組合、共済組合、健保組合、介護保険）に保険請求がなされ、保険者はレセプトの正当性を審査し、それが正当であれば保険請求者に診療報酬や療養費、介護報酬の支払いをする。
例えば、患者に対する診断、術式、投薬、検査などの医療行為ごとに診療報酬が決められており、これら医療行為を患者に施した医療機関は診療報酬のルールに則り、作成したレセプトを使って患者が所属する保険者（市町村国民保健組合、共済組合、健保組合）に診療費の支払いを求める。
【００１１】
また、例えば、接骨院、鍼灸院、あん摩マッサージ院などは、施術内容毎に療養費が決められており、これら施術行為を施した療養型機関は、療養費請求のルールに則り、作成した療養費支給申請書を使って療養者が所属する保険者に療養費の支払を求める。
また、介護保険制度の下では、被保険者である利用者に対する介護や生活支援などのサービス内容ごとに介護報酬が決められており、作成したケアプランに基づいてサービスを提供した介護事業者は介護報酬のルールに則り、給付費明細書を利用者が所属する保険者（市区町村）に介護報酬の支払いを求める。
【００１２】
レセプトデータとは保険支払請求申請書（レセプト）の内容を表わすデータである。ここで、レセプトとは、診療報酬や介護報酬や療養費の支払いを請求する支払請求申請書のことである。現在は医療機関における診療報酬の場合はレセプト審査機関（国民健康保険団体連合会(国保連)、社会保険診療報酬支払基金(支払基金)）における審査後に保険者に提出される。なお、療養費の場合などは直接保険者に提出される場合もある。
【００１３】
なお、以下、保険支払請求処理について説明するが、来院型（被保険者である利用者が保険支払請求者である医療機関などのサービス提供側へ行くタイプ）であっても、訪問型（保険支払請求者である医療機関等のサービス提供者が被保険者である利用者の自宅などに行くタイプ）であっても、サービス提供の流れや場所の違いを除けば、その後の保険支払請求処理の流れは基本的に同じである。また、診療報酬、療養費請求、介護報酬という請求内容の違いはあっても、その後の保険支払請求処理の流れは基本的に同じである。
以下、一例として、一般的な来院型の柔道整復の療養費の保険支払請求処理の流れを挙げて説明する。
【００１４】
図１６は、従来の一般的な接骨院における来院型の柔道整復の療養費の支払請求と審査および支払いの保険支払請求処理の概略を示す図である。図１６に見るように、患者Ａ、接骨院Ｂ、保険者Ｄの３者モデルとして説明される。
患者Ａは接骨院Ｂにおいて保険証を提示し、接骨院Ｂでは柔道整復師が患者Ａに対する問診を経て問診表などを書き込んだ後、施術計画を立てる。ここで、療養が必要な接骨治療や捻挫治療などでは療養費支払請求の際には療養費支給申請書が必要である。療養費支給申請書には本来は患者のサインが必要であるところ、支払請求のためのレセプト作成処理およびレセプト送付処理のタイミングと患者の来院のタイミングが合わず、レセプト作成・送付時に患者のサインをもらうことが事実上難しい。そこで、現状は、初診時に患者に対してサインをもらい、白紙委任を取り付けているのが実情となっている。
【００１５】
接骨院Ｂは施術行為に対するレセプトを作成し、直接保険者Ｄ（市町村国民健康保健組合、共済組合、健保組合）にレセプトを送付する。保険者Ｄはレセプトの正当性を審査し、それが正当であれば接骨院Ｂに対して療養費の支払いを行う。
【００１６】
図１６に見るように、従来技術における療養費支払いの流れでは、療養費の支払いは、接骨院Ｂにおける施術行為に基づくレセプトの作成事務処理とレセプトの送付事務処理、さらには保険者Ｄにおけるレセプト審査事務処理、保険者Ｄから接骨院Ｂに対する支払い事務処理などを経て行われる。
ここで、接骨院システムにおいて、療養行為の提供に伴ってレセプト作成に必要なデータを入力する接骨院向けアプリケーションが使用される。なお、この接骨院向けアプリケーションとしては、レセプト作成に必要なデータを入力のみならず、レセプト作成までを行うアプリケーションも想定できる。
【００１７】
ここで、図１５で説明したアプリケーションの操作と合わせて考えると、接骨院向けアプリケーション１０を使用して患者Ａに対する療養行為を行おうとする柔道整復師は、接骨院システムのモニタ上に表示されている接骨院向けアプリケーション１０で編集する患者Ａのアプリケーションファイル２０のアイコンを、マウスなどのポインティングデバイスでダブルクリックしたりタッチパネル式の入力デバイスが装備されていれば指でタップしたりするなどの操作により、患者Ａのアプリケーションファイル２０に選択起動をかけ、その結果、例えば、パスワードの入力画面がポップアップされる。パスワードを知っている柔道整復師は、パスワードを入力することにより正当な使用権限者であることを認証し、使用を開始する。なお、セキュリティレベルが高い場合、パスワード入力のほか、携帯しているＩＣカードからＩＤ情報の入力を併用したり、指紋認証や静脈認証などの生体認証を併用したりすることもあり得る。
【００１８】
【特許文献１】特開２００６−２７７１９３号公報
【発明の開示】
【発明が解決しようとする課題】
【００１９】
アプリケーションの使用において、アプリケーションファイルを開いた使用者が認証をパスした正当権限を持つ者であり、アプリケーションファイルの編集中における入力内容や操作内容が正当なものであれば、アプリケーションファイルの編集作業が一通り完了すれば、そのままアプリケーションファイルを閉じる操作を行ってアプリケーションを終了させても何ら問題はない。そのため、アプリケーション１０を終了してアプリケーションファイル２０を閉じる際に特段のパスワードの入力などのセキュリティ対策を講じる必要はない。
【００２０】
しかし、アプリケーション１０を終了してアプリケーションファイル２０を閉じる際に、そのまま入力内容や操作内容を反映したアプリケーションファイルの作成データを確定させて良いかどうかを確認したいという要求がある場合があり得る。
アプリケーションファイルの編集中に入力した入力内容や操作内容が、使用者の誤解や過失による誤った内容であったり、使用者の不正により故意に事実とは異なる内容であったりするケースもあり得る。このように事実とは異なる誤った内容によりそのままアプリケーションファイルのデータが作成され、その作成データがアプリケーション１０を介して編集した結果として格納され、ネットワークを介して他のシステムへ作成データが送信されることは問題である。
【００２１】
一般に、アプリケーションを使用して作成したアプリケーションファイル２０の作成データの入力内容や操作内容に誤りがなく正しいものか否かの確認は、作成データそのものの内容をチェックすることにより、後からでもチェック・確認はできるものの、アプリケーションの終了時において、アプリケーションファイル２０に入力した入力内容や操作内容に誤りがなく事実に即した正しいものであることを確認することをアプリケーションファイルの終了条件として確認させれば、アプリケーションファイルを正常終了して出来上がった作成データは、正しい内容で作成されていることが確認されており、使用者の誤解や過失や使用者の不正により事実とは異なる内容である可能性は小さくなる。
このような要求のある業務サービスは多種多様にあり、アプリケーションファイルの編集終了時にセキュリティレベルを設定したアプリケーションの適用分野は多様にある。
【００２２】
例えば、保険対象サービス提供支援システムがある。図１６に示した上記従来の保険支払請求処理では、レセプトデータの作成を柔道整復師自らが接骨院システムＢのアプリケーションを利用してレセプトデータを作成し、自ら請求事務を行っていたため、誤解や過失による誤りに基づく過誤請求、さらには故意に事実とは異なる水増し請求などの不正請求が混入することがあり、不適切な療養費の支払請求が問題となっていた。過失による過誤請求であれば施術内容と施術内容に基づいた金額の適合性チェック、施術料金計算の再計算チェックなどチェック方法を工夫すれば比較的チェックしやすいが、故意による不正請求はチェックする方法が難しい場合もあり得る。
【００２３】
そこで、本発明では、アプリケーションファイルを開く際のみならず、アプリケーションファイルを終了して閉じる際にも、入力内容や操作内容が正しいことを確認せしめるセキュリティ設定を施し、誤解や過失による誤りに基づく過誤入力や、事実とは異なる不正入力などを効果的に低減せしめたアプリケーションを提供することを目的とする。また、当該アプリケーションを利用したものとして具体的な業務サービス例として、保険対象サービス提供支援システムを提供することを目的とする。
【課題を解決するための手段】
【００２４】
上記目的を達成するため、本発明の保険対象サービス提供支援アプリケーションは、訪問者が被訪問者の所在地を訪ねてサービス提供者とサービス被提供者の間で医療保険または介護保険の対象となるサービス提供を支援する保険対象サービス提供支援システムで利用可能な保険対象サービス提供支援アプリケーションであって、前記サービス提供を行う前記サービス提供者が所持するサービス提供者端末を備え、前記保険対象サービス提供支援アプリケーションが前記サービス提供者端末に格納された構成であり、前記保険対象サービス提供支援アプリケーションで利用される各々の保険対象サービス提供支援アプリケーションファイルに、前記保険対象サービス提供支援アプリケーションで前記保険対象サービス提供支援アプリケーションファイルを開くためのオープン暗証コードと、前記保険対象サービス提供支援アプリケーションで開いている前記保険対象サービス提供支援アプリケーションファイルを正常終了して閉じるためのクローズ暗証コードが設定されたものであり、前記オープン暗証コードの入力を受けて前記保険対象サービス提供支援アプリケーションファイルを開くアプリケーションファイル開錠機能と、前記クローズ暗証コードの入力を受けて、開いている状態の前記保険対象サービス提供支援アプリケーションファイルを正常終了して閉じるアプリケーションファイル閉錠機能を備えたことを特徴とする保険対象サービス提供支援アプリケーションである。
【００２５】
ここで、さらにアプリケーションの操作に対するセキュリティを向上せしめるべく、前記保険対象サービス提供支援アプリケーションファイルに、オープン暗証コードとクローズ暗証コードに加え、コンピュータシステム上から該当するアプリケーションファイルを選択して立ち上げるための選択立ち上げのオープン暗証コードと、アプリケーションファイル閉錠機能により正常終了して閉じたアプリケーションファイルを非選択とする選択解除暗証コードが設定されたものとし、選択起動暗証コードの入力を受けてコンピュータシステム上に格納されているものから該当する前記アプリケーションファイルを選択して立ち上げるアプリケーションファイル選択起動機能と、選択解除暗証コードの入力を受けてアプリケーションファイル閉錠機能により正常終了して閉じた状態のアプリケーションファイルを非選択状態とするアプリケーションファイル選択解除機能を備えた構成も可能である。
【００２６】
つまり、アプリケーションファイルの操作について各段階、つまり、アプリケーションファイルを選択して起動をかける段階、起動のかかったアプリケーションファイルを開く段階、アプリケーションファイルの編集が終わってアプリケーションファイルを終了して閉じる段階、アプリケーションファイルの選択を終了する段階のそれぞれに各々対応する暗証コードの入力などのセキュリティ操作を設定することにより、より一層高いセキュリティレベルを確保せしめることができる。なお、どの段階に暗証コード入力などのセキュリティ操作を設定するかは、すべての段階に設定すると限定されるものではなく、そのうちの幾つかでも良い。例えば、アプリケーションファイルを開く段階と閉じる段階の２つの段階でも良く、アプリケーションファイルを選択して起動をかける段階とアプリケーションファイルを開く段階と閉じる段階の３つの段階でも良い。
【００２７】
上記本発明のアプリケーションを適用する業務システム一例としては、訪問者が被訪問者の所在地を訪ねてサービス提供者とサービス被提供者の間で医療保険または介護保険の対象となるサービス提供を支援する保険対象サービス提供支援システムである。
本発明の保険対象サービス提供支援システムは、上記の保険対象サービス提供支援アプリケーションを備えた保険対象サービス提供支援システムであって、前記保険対象サービス提供支援アプリケーションが、前記アプリケーションファイル開錠機能と、医療業務関連機能と、前記アプリケーションファイル閉錠機能を備え、
前記アプリケーションファイル開錠機能を介して前記保険対象サービス提供支援アプリケーションファイルが操作可能となった後に前記医療業務関連機能の利用が可能となり、前記アプリケーションファイル閉錠機能を介して前記保険対象サービス提供支援アプリケーションファイルが終了する際に連動してまたは終了する前に独立して前記医療業務関連機能が終了することを特徴とした保険対象サービス提供支援システムである。
【００２８】
また、本発明の保険対象サービス提供支援システムは、上記記載の保険対象サービス提供支援アプリケーションを備えた保険対象サービス提供支援システムであって、前記保険対象サービス提供支援アプリケーションが、前記アプリケーションファイル開錠機能と、医療業務関連機能と、前記アプリケーションファイル閉錠機能を備え、前記アプリケーションファイル開錠機能を介して前記保険対象サービス提供支援アプリケーションファイルが操作可能となった後に前記医療業務関連機能の利用が可能となり、前記アプリケーションファイル閉錠機能を介して前記保険対象サービス提供支援アプリケーションファイルが終了する際に連動してまたは終了する前に独立して前記医療業務関連機能が終了することを特徴とした保険対象サービス提供支援システムである。
ここで、上記保険対象サービス提供支援システムにおいて、前記サービス提供者の特定が可能な第１のサービス提供者ＩＤ情報のデータ授受を可能とした第１のサービス提供者ＩＤ情報授受手段と、前記サービス被提供者の特定が可能な第１のサービス被提供者ＩＤ情報のデータ授受を可能とした第１のサービス被提供者ＩＤ情報授受手段を備え、前記第１のサービス提供者ＩＤ情報を前記オープン暗証コードとして入力して前記アプリケーションファイル開錠機能を機能させ、前記第１のサービス被提供者ＩＤ情報を前記クローズ暗証コードとして入力して前記アプリケーションファイル閉錠機能を機能させる暗証コード制御手段を備えた構成がある。
さらに、上記保険対象サービス提供支援システムにおいて、前記サービス提供者の特定が可能な第１のサービス提供者ＩＤ情報のデータ授受を可能とした第１のサービス提供者ＩＤ情報授受手段と、前記サービス被提供者の特定が可能な第１のサービス被提供者ＩＤ情報のデータ授受を可能とした第１のサービス被提供者ＩＤ情報授受手段と、前記サービス被提供者に預託され、前記サービス提供者に対して前記サービス被提供者の個人情報または所在地情報に関連付けられた第２のサービス被提供者ＩＤ情報のデータ授受を可能とした第２のサービス被提供者ＩＤ情報授受手段を備え、前記第２のサービス被提供者ＩＤ情報を前記選択起動暗証コードとして入力して前記アプリケーションファイル選択起動機能を機能させ、前記第１のサービス提供者ＩＤ情報を前記オープン暗証コードとして入力して前記アプリケーションファイル開錠機能を機能させ、前記第１のサービス被提供者ＩＤ情報を前記クローズ暗証コードとして入力して前記アプリケーションファイル閉錠機能を機能させ、前記第２のサービス被提供者ＩＤ情報を前記選択解除暗証コードとして入力して前記アプリケーションファイル選択解除機能を機能させる暗証コード制御手段を備えた構成があり得る。
【００２９】
例えば、オープン暗証コードとして、数字やアルファベットの組み合わせからなるコード情報を入力させ、クローズ暗証コードとして数字やアルファベットの組み合わせからなる異なるコード情報を入力させるもので良い。
また、オープン暗証コードとして、サービス提供者の特定が可能な第１のサービス提供者ＩＤ情報を入力させ、クローズ暗証コードとしてサービス被提供者の特定が可能な第１のサービス被提供者ＩＤ情報を入力させることができる。
第１のサービス提供者ＩＤ情報としては、サービス提供者が保持・携帯するカードに格納されたＩＤ情報でも良く、また、サービス提供者の生体情報であっても良い。入力手段としては、第１のサービス提供者ＩＤ情報の内容に応じて、キーボード、カードリーダー、生体情報読み取りデバイスなどが装備されていれば良い。
第１のサービス被提供者ＩＤ情報としては、サービス被提供者が保持・携帯するカードに格納されたＩＤ情報でも良く、また、サービス被提供者の生体情報であっても良い。入力手段としては、第１のサービス被提供者ＩＤ情報の内容に応じて、キーボード、カードリーダー、生体情報読み取りデバイスなどが装備されていれば良い。
【００３０】
保険対象サービス提供支援システムには暗証コード制御手段が設けられおり、暗証コード制御手段が第１のサービス提供者ＩＤ情報を受けてオープン暗証コードとして入力してアプリケーションファイル開錠機能を機能させ、第１のサービス被提供者ＩＤ情報をクローズ暗証コードとして入力してアプリケーションファイル閉錠機能を機能させる。
アプリケーションファイルに選択起動暗証コードと選択解除暗証コードが設定されている場合、例えば、選択起動暗証コードとして、数字やアルファベットの組み合わせからなるコード情報を入力させ、選択解除暗証コードとして数字やアルファベットの組み合わせからなる異なるコード情報を入力させるもので良い。
【００３１】
また、選択起動暗証コードとして、サービス提供者の特定が可能な第２のサービス提供者ＩＤ情報を入力させ、選択解除暗証コードとしてサービス被提供者の特定が可能な第２のサービス被提供者ＩＤ情報を入力させることができる。
第２のサービス提供者ＩＤ情報としては、サービス提供者が保持・携帯するカードに格納されたＩＤ情報でも良く、また、サービス提供者の生体情報であっても良い。入力手段としては、第２のサービス提供者ＩＤ情報の内容に応じて、キーボード、カードリーダー、生体情報読み取りデバイスなどが装備されていれば良い。
【００３２】
第２のサービス被提供者ＩＤ情報としては、サービス被提供者が保持・携帯するカードに格納されたＩＤ情報でも良く、また、サービス被提供者の生体情報であっても良い。さらに、第２のサービス被提供者ＩＤ情報がサービス被提供者の所在地ＩＤ情報であっても良い。入力手段としては、第２のサービス被提供者ＩＤ情報の内容に応じて、キーボード、カードリーダー、生体情報読み取りデバイスなどが装備されていれば良い。さらに、所在地ＩＤ情報の場合、所在地のＧＰＳ情報を利用することができ、第２のサービス被提供者ＩＤ情報授受手段が、ＧＰＳシステムから当該所在地のＧＰＳ情報のデータ授受可能なデバイスとの組み合わせがある。さらに、サービス被提供者の所在地に据え付けられて所在地ＩＤ情報を提供するビーコン発信機とそれとデータ授受可能なデバイスとの組み合わせや、所在地ＩＤ情報を提供する無線ＩＣタグとそれとデータ授受可能なデバイスとの組み合わせや、所在地ＩＤ情報を提供する音波発信器とそれとデータ授受可能なデバイスとの組み合わせなどでも良い。
【００３３】
保険対象サービス提供支援システムには暗証コード制御手段が設けられおり、暗証コード制御手段が第２のサービス被提供者ＩＤ情報を選択起動暗証コードとして入力してアプリケーションファイル選択起動機能を機能させ、第１のサービス提供者ＩＤ情報をオープン暗証コードとして入力してアプリケーションファイル開錠機能を機能させ、第１のサービス被提供者ＩＤ情報をクローズ暗証コードとして入力してアプリケーションファイル閉錠機能を機能させ、第２のサービス被提供者ＩＤ情報を選択解除暗証コードとして入力してアプリケーションファイル選択解除機能を機能させる。
上記したサービス提供者とサービス被提供者の関係は、サービス提供者がサービス被提供者の自宅などに訪問するいわゆる訪問型サービスがあり、さらに、サービス被提供者がサービス提供者の業務先などに行くいわゆる来院型サービスがあり得る。
【００３４】
訪問型サービスであれば、本発明の保険対象サービス提供支援システムを利用するサービス提供者が本発明のアプリケーションを装備したサービス提供者端末を携帯してサービス被提供者の自宅などに訪問してサービスを提供する。その際に、本発明のアプリケーションを利用してサービス提供者端末を介してアプリケーションファイルの編集やデータ入力などを行う。アプリケーションファイルの選択起動、オープン、クローズ、選択解除などの操作において要求される暗証コードなどをそれぞれ入力する。
【００３５】
来院型サービスであれば、本発明の保険対象サービス提供支援システムを利用するサービス提供者が本発明のアプリケーションを装備したサービス提供者端末を保持しており、サービス被提供者が来院すると所定の必要なサービスを提供する。その際に、本発明のアプリケーションを利用してサービス提供者端末を介してアプリケーションファイルの編集やデータ入力などを行う。アプリケーションファイルの選択起動、オープン、クローズ、選択解除などの操作において要求される暗証コードなどをそれぞれ入力する。
【図面の簡単な説明】
【００３６】
【図１】実施例１にかかるアプリケーション１００−１の構成を簡単に示した図である。
【図２】本発明のアプリケーション１００−１の操作の概略を説明する図である。
【図３】実施例２にかかるアプリケーション１００−２の構成を簡単に示した図である。
【図４】本発明のアプリケーション１００−２の操作の概略を説明する図である。
【図５】本発明の業務システムの一例であるサービス提供支援システム２００−１の構成例を簡単に示す図である。
【図６】本発明の業務システムの一例であるサービス提供支援システム２００−２の構成例を簡単に示す図である。
【図７】訪問型の保険対象サービスの基本的なサービス提供の流れと保険対象サービス支援システム２００−２における処理を説明する図である。
【図８】保険対象サービス支援システム２００−２に対して入力される、選択起動暗証コード、オープン暗証コード、クローズ暗証コード、選択終了暗証コードと入力デバイスの例を説明する図である。
【図９】来院型の保険対象サービスの基本的なサービス提供の流れと保険対象サービス支援システム２００−２Ｂにおける処理を説明する図である。
【図１０】保険対象サービス支援システム２００−２Ｂに対して入力される、選択起動暗証コード、オープン暗証コード、クローズ暗証コード、選択終了暗証コードと入力デバイスの例を説明する図である。
【図１１】来所型の介護保険対象サービスの基本的なサービス提供の流れと介護保険対象サービス支援システム２００−２Ｃにおける処理を説明する図である。
【図１２】介護保険対象サービス支援システム２００−２Ｃに対して入力される、選択起動暗証コード、オープン暗証コード、クローズ暗証コード、選択終了暗証コードと入力デバイスの例を説明する図である。
【図１３】最終的に作成されるレセプトの作成例を示す図である。
【図１４】最終的に作成される施術録の作成例を示す図である。
【図１５】従来の一般的なアプリケーションの操作概略を示す図である。
【図１６】従来の一般的なあん摩マッサージ院、接骨院、柔道整復院での療養請求に関するデータの流れを説明する図である。
【発明を実施するための最良の形態】
【００３７】
以下、本発明を実施するための最良の形態について実施例により具体的に説明する。なお、本発明はこれらの実施例に限定されるものではない。
以下、実施例１および実施例２として、本発明のアプリケーションおよびその操作の概略を説明する。実施例１はオープン暗証コードとクローズ暗証コードが設定されている例である。実施例２はオープン暗証コードとクローズ暗証コードと選択起動暗証コードと選択解除暗証コードが設定されている例である。
実施例３および実施例４として、本発明のアプリケーションを搭載した本発明の業務システムとしてサービス提供支援システムの構成例を説明する。実施例３はオープン暗証コードとクローズ暗証コードが設定されている例である。実施例４はオープン暗証コードとクローズ暗証コードと選択起動暗証コードと選択解除暗証コードが設定されている例である。
実施例５は、本発明のアプリケーションを搭載した本発明の業務システム例として訪問型の保険対象サービス提供支援システムを説明する。
実施例６は、本発明のアプリケーションを搭載した本発明の業務システム例として来院型の保険対象サービス提供支援システムを説明する。
実施例７は、本発明のアプリケーションを搭載した本発明の業務システム例として訪問型の介護保険対象サービス提供支援システムを説明する。
【実施例１】
【００３８】
実施例１にかかる本発明のアプリケーションについて説明する。
図１は実施例１にかかるアプリケーション１００−１の構成を簡単に示した図である。前提として、アプリケーション１００−１で利用される各々のアプリケーションファイル１１０に、アプリケーション１００−１でアプリケーションファイル１１０を開くためのオープン暗証コードと、アプリケーション１００−１で開いているアプリケーションファイル１１０を正常終了して閉じるためのクローズ暗証コードが設定されたものとなっている。
図１に示すように、アプリケーション１００−１は、アプリケーションの本体機能１０１のほか、アプリケーションファイル開錠機能１０２、アプリケーションファイル閉錠機能１０３を備えている。
【００３９】
アプリケーションの本体機能１０１は、アプリケーション１００−１によって多種多様であり、業務用アプリケーションの場合、当該業務を実行するための諸機能が装備されているものとする。なお、データ入力機能、データ出力機能、データ格納機能などの汎用的な機能も含まれているものとする。
アプリケーションファイル開錠機能は、オープン暗証コードの入力を受けてオープン暗証コードの認証を確認し、認証が成立すればアプリケーションファイルを開く機能である。
【００４０】
アプリケーションファイル閉錠機能は、クローズ暗証コードの入力を受けてクローズ暗証コードの認証を確認し、認証が成立すれば、開いている状態のアプリケーションファイルを正常終了して閉じる機能である。
図２は、本発明のアプリケーション１００−１の操作の概略を説明する図である。特に、アプリケーションファイルを開く際とアプリケーションファイルを閉じる際に設定されているセキュリティの処理について説明している。
この例では、アプリケーションはスマートフォンに搭載された例となっており、スマートフォンの画面を介したタッチ入力が可能となっている。
本発明のアプリケーションはソフトウェアであれば良く、特に用途が限定されるわけではない。アプリケーションファイルは、当該アプリケーションで取り扱われ、編集・操作され得るデータのまとまりであるデータセットである。
【００４１】
近年のグラフィックユーザーインターフェイスでは、アプリケーションファイルがアイコンで表示されており、従来の一般のアプリケーションファイルでは、当該アイコンを指定すると当該アプリケーションファイルを取り扱うアプリケーションが立ち上がり、その後当該アプリケーションによりアプリケーションファイルが開かれて編集可能な状態になる。
本実施例１においても、スマートフォンに格納されたアプリケーション１００−１で取り扱い可能なアプリケーションファイル１１０のアイコンが多数表示されてアイコン操作が可能なケースを例にとり説明する。
【００４２】
以下、操作を説明する。
アプリケーションファイル１１０を選択起動する（ステップＳ１０１）。
アプリケーションファイル１１０を選択起動する方法は限定されないが、ここでは一例として該当するアイコンをダブルクリックすることにより、アプリケーションファイル１１０が選択的に起動される。
アプリケーションファイル１１０を開くためのオープン暗証コードの入力カラムが表示され、オープン暗証コードの入力が要求される（ステップＳ１０２）。
オープン暗証コードの入力方法は限定されないが、この例では入力カラムに対して、表示画面に表示された入力キーをタッチすることにより入力してゆく。
オープン暗証コードが入力され（ステップＳ１０３）、認証されれば（ステップＳ１０４：Ｙ）、アプリケーション１００−１が立ち上がり、アプリケーションファイル１１０が開いて当該アプリケーション１１０−１により編集・操作が可能な状態となる（ステップＳ１０５）。
アプリケーション１００−１上、操作・編集を行い、アプリケーションファイル１１０への編集・入力が完了する（ステップＳ１０６）。
【００４３】
アプリケーションファイル１１０の編集を終了してアプリケーションファイル１１０を閉じる操作を行う（ステップＳ１０７）。
ここでは、アプリケーション１００−１上の操作ボタンの１つである“閉じる”操作ボタンをクリックしてアプリケーションファイル１１０を閉じる操作を指定する。
【００４４】
アプリケーションファイル１００を閉じるためのクローズ暗証コードの入力カラムが表示され、クローズ暗証コードの入力が要求される（ステップＳ１０８）。
クローズ暗証コードの入力方法は限定されないが、この例では入力カラムに対して、表示画面に表示された入力キーをタッチすることにより入力してゆく。
クローズ暗証コードが入力され（ステップＳ１０９）、認証されれば（ステップＳ１０：Ｙ）、アプリケーションファイル１１０が閉じる。（ステップＳ１１０）。アプリケーションファイル１１０の編集内容が確定することとなる。
【実施例２】
【００４５】
実施例２にかかる本発明のアプリケーション１００−２について説明する。
実施例２は、オープン暗証コードとクローズ暗証コードと選択起動暗証コード、選択解除暗証コードが要求されるものを説明する。なお、実施例１で示した処理と同様で良い部分については説明を適宜簡素化した。
図３は、実施例２にかかるアプリケーション１００−２の構成を簡単に示した図である。前提として、アプリケーション１００−２で利用される各々のアプリケーションファイル１１０に、アプリケーション１００−２でアプリケーションファイル１１０を開くためのオープン暗証コードと、アプリケーション１００−２で開いているアプリケーションファイル１１０を正常終了して閉じるためのクローズ暗証コードが設定されたものとなっている。
図３に示すように、アプリケーション１００−２は、アプリケーション１００−２の本体機能１０１のほか、アプリケーションファイル開錠機能１０２、アプリケーションファイル閉錠機能１０３、アプリケーションファイル選択起動機能１０４、アプリケーションファイル選択解除機能１０５を備えている。
【００４６】
アプリケーションの本体機能１０１は、アプリケーション１００−２によって多種多様であり、業務用アプリケーションの場合、当該業務を実行するための諸機能が装備されているものとする。なお、データ入力機能、データ出力機能、データ格納機能などの汎用的な機能も含まれているものとする。
【００４７】
アプリケーションファイル開錠機能１０２は実施例１と同様であり、オープン暗証コードの入力を受けてオープン暗証コードの認証を確認し、認証が成立すればアプリケーションファイルを開く機能である。
【００４８】
アプリケーションファイル閉錠機能１０３は実施例１と同様であり、クローズ暗証コードの入力を受けてクローズ暗証コードの認証を確認し、認証が成立すれば、開いている状態のアプリケーションファイルを正常終了して閉じる機能である。
【００４９】
アプリケーションファイル選択起動機能１０４は、選択起動暗証コードの入力を受けて選択起動暗証コードの認証を確認し、認証が成立すればアプリケーションファイルを選択して起動をかける機能である。初期状態ではいずれのアプリケーションファイルも選択されておらず、何らかの操作を行うためには、まずアプリケーションファイルを選択する必要があるが、そのアプリケーションファイルの選択自体に選択起動暗証コードによる認証を設定するものである。
【００５０】
アプリケーションファイル選択解除機能１０５は、選択解除暗証コードの入力を受けて選択解除暗証コードの認証を確認し、認証が成立すればアプリケーションファイルの選択を解除する機能である。或るアプリケーションファイルを選択して様々な編集を行った後、アプリケーションファイルを閉じてもまだ選択状態にあれば、何らかの操作を行うとその選択中のアプリケーションファイルに対する操作となり、他のアプリケーションファイルを操作するためには、現在のアプリケーションファイルの選択を解除し、他のアプリケーションファイルを選択し直す必要があるが、現在のアプリケーションファイルの選択解除自体に選択解除暗証コードによる認証を設定するものである。
【００５１】
図４は、本発明のアプリケーション１００−２の操作の概略を説明する図である。特に、アプリケーションファイル１１０を開く際とアプリケーションファイル１１０を閉じる際に設定されているセキュリティの処理について説明している。
この例では、アプリケーションはスマートフォンに搭載された例となっており、スマートフォンの画面を介したタッチ入力が可能となっている。
本発明のアプリケーション１００−２は、実施例１と同様、ソフトウェアであれば良く、特に用途が限定されるわけではない。また、アプリケーションファイル１１０は、当該アプリケーション１００−２で取り扱われ、編集・操作され得るデータのまとまりであるデータセットである。
【００５２】
アプリケーション１００−２の操作について説明する。
アプリケーションファイル１１０を選択起動する（ステップＳ２０１）。
アプリケーションファイル１１０を選択起動する方法は限定されないが、ここでは一例として該当するアイコンをダブルクリックすることにより、アプリケーションファイル１１０が選択的に起動される。
アプリケーションファイル１１０を選択的に起動するための選択起動暗証コードの入力カラムが表示され、選択起動暗証コードの入力が要求される（ステップＳ２０２）。
【００５３】
選択起動暗証コードの入力方法は限定されないが、この例では入力カラムに対して、表示画面に表示された入力キーをタッチすることにより入力してゆく。
選択起動暗証コードが入力され（ステップＳ２０３）、認証されれば（ステップＳ２０４：Ｙ）、アプリケーションファイル１１０が選択された状態となる（ステップＳ２０５）。
次に、アプリケーションファイル１１０を開くためのオープン暗証コードの入力カラムが表示され、オープン暗証コードの入力が要求される（ステップＳ２０６）。
オープン暗証コードが入力され（ステップＳ２０７）、認証されれば（ステップＳ２０８：Ｙ）、アプリケーション１００−２が立ち上がり、アプリケーションファイル１１０が開いて当該アプリケーション１００−２により編集・操作が可能な状態となる（ステップＳ２０９）。
アプリケーション１００−２上、操作・編集を行い、アプリケーションファイル１１０への編集・入力が完了する（ステップＳ２２０）。
【００５４】
アプリケーションファイル１１０の編集を終了してアプリケーションファイル１１０を閉じる操作を行う（ステップＳ２２１）。
アプリケーションファイル１１０を閉じるためのクローズ暗証コードの入力カラムが表示され、クローズ暗証コードの入力が要求される（ステップＳ２２２）。
クローズ暗証コードが入力され（ステップＳ２２３）、認証されれば（ステップＳ２２４：Ｙ）、アプリケーションファイル１１０が閉じる。（ステップＳ２２５）。アプリケーションファイル１１０の編集内容が確定することとなる。
【００５５】
最後にアプリケーションファイル１１０を選択解除する（ステップＳ２２６）。
選択解除暗証コードの入力カラムが表示され、選択解除暗証コードの入力が要求される（ステップＳ２２７）。
選択解除暗証コードの入力方法は限定されないが、この例では入力カラムに対して、表示画面に表示された入力キーをタッチすることにより入力してゆく。
選択解除暗証コードが入力され（ステップＳ２２８）、認証されれば（ステップＳ２２９：Ｙ）、アプリケーションファイル１１０が選択解除状態となる（ステップＳ２３０）。
アプリケーションファイル１１０を選択解除することにより、他の別のアプリケーションファイル１１０を選択起動することができる状態となる。
【実施例３】
【００５６】
実施例３は、オープン暗証コードとクローズ暗証コードが設定されているアプリケーションファイルを扱う業務システムの例としてサービス提供支援システム２００−１の構成例を説明する。
図５は、本発明の業務システムの一例であるサービス提供支援システム２００−１の構成例を簡単に示す図である。
図５に示すように、本発明の業務システム２００−１は、インストールされたサービス提供支援アプリケーション１００−１、アプリケーションファイル１１０、アプリケーションファイル格納部２１０、入力手段２２０、暗証コード制御手段２３０、通信機能２９０を備えた構成となっている。
サービス提供支援アプリケーション１００−１は実施例１と同様、サービス提供支援のアプリケーション本体機能１０１に加え、アプリケーションファイル開錠機能１０２、アプリケーションファイル閉錠機能１０３を備えたソフトウェアである。各々の機能は実施例１のアプリケーション１００−１のものと同様のものである。
【００５７】
アプリケーションファイル１１０は、実施例１と同様、サービス提供支援アプリケーション１００−１により操作・編集されるデータセットである。この例ではアプリケーションファイル格納部２１０に格納されている。
アプリケーションファイル格納部２１０は、アプリケーションファイル１１０を格納した記憶装置であり、アプリケーション１００−１によりアクセス可能に構成されている。
【００５８】
入力手段２２０は、システムが装備しているデータ入力デバイスであり、受け取ったデータを暗証コード制御手段２３０に渡すものである。
入力手段２２０は、キーボード、タッチパネルなどの一般的な入力デバイスのほか、ＩＣカードリーダー、生体情報読み取りデバイスなど、多様な入力デバイスが利用可能である。システムの運用に応じて、装備する入力デバイスを取り付ければ良い。
【００５９】
キー入力手段２２１は、キーボード、タッチパネルなどの一般的な入力デバイスである。入力する際、例えば、オープン暗証コードを直接打ち込める場合、キー入力手段２２１を介して入力すれば良い。この場合、キー入力手段２２１からコード情報を渡された暗証コード制御手段２３０は、入力されたコード情報をそのままアプリケーション１００−２のアプリケーションファイル開錠機能１０２やアプリケーションファイル閉錠機能１０３に対して出力することとなる。
【００６０】
第１のサービス提供者ＩＤ情報授受手段２２２は、本サービス提供支援システムを利用するサービス提供者（サービスを提供する者）の特定が可能なサービス提供者ＩＤ情報のデータ授受を可能としたデバイスである。
サービス提供者の特定が可能なサービス提供者ＩＤ情報としては、様々なものが利用可能であり、サービスを提供する利用者が携帯しているＩＣカードに記憶されているサービス提供者ＩＤコードであれば、第１のサービス提供者ＩＤ情報授受手段２２２はＩＣカードリーダーで良い。また、サービス提供者ＩＤ情報がサービス提供者の生体情報であれば、第１のサービス提供者ＩＤ情報授受手段２２２は生体情報読み取りデバイス（指紋パターンリーダー、静脈パターンリーダー、虹彩パターンリーダーなど）で良い。
【００６１】
第１のサービス被提供者ＩＤ情報授受手段２２３は、本サービス提供支援システムを利用するサービス被提供者（サービスの提供を受ける者）の特定が可能なサービス被提供者ＩＤ情報のデータ授受を可能としたデバイスである。
サービス被提供者の特定が可能なサービス被提供者ＩＤ情報としては、様々なものが利用可能であり、サービスを受ける利用者が携帯しているＩＣカードに記憶されているサービス被提供者ＩＤコードであれば、第１のサービス被提供者ＩＤ情報授受手段２２３はＩＣカードリーダーで良い。また、サービス被提供者ＩＤ情報がサービス被提供者の生体情報であれば、第１のサービス被提供者ＩＤ情報授受手段２２３は生体情報読み取りデバイス（指紋パターンリーダー、静脈パターンリーダー、虹彩パターンリーダーなど）で良い。
【００６２】
暗証コード制御手段２３０は、入力手段２２０を介して入力されたデータを受け取り、必要に応じて暗証コードに変換してサービス提供支援アプリケーション１００−１に対して出力するものである。
暗証コード制御手段２３０は、生体情報パターン変換手段２３１を備えており、指紋パターン、静脈パターン、虹彩パターンなどの画像データから特徴点を抽出し、その特徴点の並びを所定の計算式や変換処理を行い、コード情報に変換する機能を備えている。この生体情報パターン変換手段２３１が装備している計算式や変換処理は、保険対象サービス提供支援システム２００−１の運用に合致したものであれば良く、正しいサービス提供者、正しいサービス被提供者が入力した生体情報パターンが、アプリケーションファイル１１０ごとに設定される正しい暗証コードに変換されるものであれば良い。
【００６３】
もし、入力手段２２０を介して直接、暗証コードが入力された場合は、暗証コード制御手段２３０は当該暗証コードをそのままサービス提供支援アプリケーション１００−１に対して出力すれば良い。
もし、第１のサービス提供者ＩＤ情報授受手段２２２が生体情報読み取りデバイスである場合、入力される情報は、指紋パターンや静脈パターンや虹彩パターンなどのパターン情報（画像情報）である。暗証コード制御手段２３０は、生体情報パターン変換部２３１を用いて、パターン情報（画像情報）を数値データのコード情報に変換し、オープン暗証コードやクローズ暗証コードとしてアプリケーション１００−１のアプリケーション開錠機能１０２やアプリケーション閉錠機能１０３に対して出力する。
【００６４】
操作の流れは以下である。
アプリケーションファイルの指定（Ｓ３０１）
使用しようとするアプリケーションファイルを選択指定する。
アプリケーションファイルを開く操作（Ｓ３０２）
選択したアプリケーションファイルを開く操作を行う。
オープン暗証コードの入力要求（Ｓ３０３）
アプリケーション１００−１のアプリケーション本体機能１０１を用い、アプリケーションファイル１１０を開いてサービスを提供しようと選択すると、オープン暗証コードの入力が求められる。
【００６５】
オープン暗証コードの入力（Ｓ３０４）
入力手段２２０のキー入力手段２２１、第１のサービス提供者ＩＤ情報授受手段２２２、第１のサービス被提供者ＩＤ情報授受手段２２３のいずれかのデバイスを用いて情報を入力する。オープン暗証コードが直接情報として入力された場合はそのままアプリケーションファイル開錠機能１０２に対して、オープン暗証コードを入力し、オープン暗証コードではなく生体情報パターンで入力された場合は、生体情報パターン変換手段２３１を介して暗証コードに変換し、暗証コード制御手段２３０を介して、アプリケーションファイル開錠機能１０２に対して、オープン暗証コードを入力する。
オープン暗証コードの認証（Ｓ３０５）
入力されたオープン認証コードとアプリケーションファイル１１０に関連付けられているオープン認証コードが認証されれば、アプリケーションファイル１１０が開いて編集・操作が可能な状態となる。
【００６６】
サービス提供（Ｓ３０６）
アプリケーション本体機能１０１を用いてサービス被提供者へのサービス提供を施し、アプリケーションファイル１１０に対して必要なデータ入力を行い編集する。
サービス提供終了（Ｓ３０７）
サービス提供が終了すればアプリケーションファイル１１０の終了操作に入る。
アプリケーションファイルを閉じる操作（Ｓ３０８）
アプリケーションファイル１１０を閉じる操作を行う。
【００６７】
クローズ暗証コードの入力（Ｓ３０９）
サービスの提供を終了しようとするサービス提供者は、入力手段２２０のキー入力手段２２１、第１のサービス提供者ＩＤ情報授受手段２２２、第１のサービス被提供者ＩＤ情報授受手段２２３のいずれかのデバイスを用いて情報を入力し、クローズ暗証コードが直接情報として入力された場合は、そのままアプリケーションファイル閉錠機能１０３に対して、クローズ暗証コードを入力し、クローズ暗証コードではなく生体情報パターンで入力された場合は、生体情報パターン変換手段２３１を介して暗証コードに変換し、暗証コード制御手段２３０を介して、アプリケーションファイル閉錠機能１０３に対して、クローズ暗証コードを入力する。
アプリケーションファイル１１０への編集内容確定（Ｓ３１０）
アプリケーションファイル１１０が閉じてアプリケーションファイル１１０への編集内容が確定する。
【００６８】
なお、上記操作の流れにおいて、オープン暗証コードとクローズ暗証コードの入力デバイスを異なるデバイスとする工夫がある。つまり、オープン暗証コードを入力する際には第１のサービス提供者ＩＤ情報授受手段を介してサービス提供者ＩＤ情報を用いてオープン暗証コードが入力される仕組みとし、クローズ暗証コードを入力する際には、第１のサービス被提供者ＩＤ情報授受手段を介してサービス被提供者ＩＤ情報を用いてクローズ暗証コードが入力される仕組みである。サービス提供者とサービス被提供者の両者のＩＤ情報が利用されるため、サービス提供が正しく行われたことの確認につながる。
【実施例４】
【００６９】
実施例４は、オープン暗証コードとクローズ暗証コードと選択起動暗証コードと選択解除暗証コードが設定されているアプリケーションファイルを扱う業務システムの例としてサービス提供支援システム２００−２の構成例を説明する。
図６は、本発明の業務システムの一例であるサービス提供支援システム２００−２の構成例を簡単に示す図である。
図６に示すように、本発明の業務システム２００−２は、インストールされたサービス提供支援アプリケーション１００−２、アプリケーションファイル１１０、アプリケーションファイル格納部２１０、入力手段２２０、暗証コード制御手段２３０、通信機能２９０を備えた構成となっている。
【００７０】
サービス提供支援アプリケーション１００−２は、実施例２と同様、サービス提供支援のアプリケーション本体機能１０１に加え、アプリケーションファイル開錠機能１０２、アプリケーションファイル閉錠機能１０３、さらに、アプリケーションファイル選択起動機能１０４、アプリケーションファイル選択解除機能１０５を備えたソフトウェアである。各々の機能は実施例２のアプリケーション１００−２のものと同様のものである。
アプリケーションファイル１１０は、実施例２と同様、サービス提供支援アプリケーション１００−２により操作・編集されるデータセットである。
アプリケーションファイル格納部２１０は、実施例３と同様で良い。
【００７１】
入力手段２２０は、システムが装備しているデータ入力デバイスであり、受け取ったデータを暗証コード制御手段２３０に渡すものである。
入力手段２２０は、実施例３と同様、キーボード、タッチパネルなどの一般的な入力デバイスのほか、ＩＣカードリーダー、生体情報読み取りデバイスなど、多様な入力デバイスが利用可能である。システムの運用に応じて、装備する入力デバイスを取り付ければ良い。
【００７２】
入力手段２２０において、キー入力手段２２１、第１のサービス提供者ＩＤ情報授受手段２２２、第１のサービス被提供者ＩＤ情報授受手段２２３は、実施例３と同様のものであるが、さらに、第２のサービス提供者ＩＤ情報授受手段２２４、第２のサービス被提供者ＩＤ情報授受手段２２５を備えた構成となっている。
【００７３】
第２のサービス提供者ＩＤ情報授受手段２２４は、本サービス提供支援システム２００−２を利用するサービス提供者（サービスを提供する者）の特定が可能なサービス提供者ＩＤ情報のデータ授受を可能としたデバイスであり、第１のサービス提供者ＩＤ情報授受手段２２２とは異なるデバイスであって良い。例えば、第１のサービス提供者ＩＤ情報授受手段２２２がＩＣカードリーダーである場合、第２のサービス提供者ＩＤ情報授受手段２２４が生体情報読み取りデバイスなどの組み合わせがあり得る。
【００７４】
第２のサービス被提供者ＩＤ情報授受手段２２５は、本サービス提供支援システムを利用するサービス被提供者（サービスの提供を受ける者）の特定が可能なサービス被提供者ＩＤ情報のデータ授受を可能としたデバイスであり、第１のサービス被提供者ＩＤ情報授受手段２２３とは異なるデバイスであって良いが、ここでは、サービス被提供者に預託され、サービス被提供者の個人情報または所在地情報に関連付けられた第２のサービス被提供者ＩＤ情報のデータ授受を可能としたデバイスとすることができる。ここで、サービス被提供者の所在地情報に関連付けられたＩＤ情報としては、例えば、所在地を示す住所情報であり、サービス被提供者の自宅に据え付けられている無線ＩＣチップから発せられる無線信号や、サービス被提供者の自宅に据え付けられたビーコンから発せられるビーコン信号や、サービス被提供者の自宅に据え付けられている音波発信器から発せられる音波信号にのせられて提供される。第２のサービス被提供者ＩＤ情報授受手段２２５は、無線ＩＣ受信デバイスや、ビーコン信号受信デバイスや、音波信号受信デバイスなどである。ＧＰＳ情報を利用する場合、第２のサービス被提供者ＩＤ情報授受手段２２５はＧＰＳ信号受信手段となる。
【００７５】
暗証コード制御手段２３０は、実施例３と同様、入力手段２２０を介して入力されたデータを受け取り、必要に応じて暗証コードに変換してサービス提供支援アプリケーション１００−２に対して出力するものである。実施例３と同様、生体情報パターン変換手段２３１を備える構成も可能である。
【００７６】
操作の流れは以下である。
選択起動暗証コードの入力（Ｓ４０１）
サービスの提供を受けようとする者は、自分に関するデータセットであるアプリケーションファイルを指定する。具体的には、第２のサービス被提供者ＩＤ情報授受手段２２５を介して第２のサービス被提供者ＩＤ情報を入力することによりアプリケーションファイル選択起動機能１０４に対して選択起動暗証コードとして入力される。
選択起動暗証コードの認証（Ｓ４０２）
入力された選択起動暗証コードとアプリケーションファイル１１０に関連付けられている選択起動暗証コードが認証されれば、合致したアプリケーションファイル１１０の選択が指定される。
【００７７】
アプリケーションファイルを開く操作（Ｓ４０３）
選択したアプリケーションファイルを開く操作を行う。
オープン暗証コードの入力要求（Ｓ４０４）
選択されているアプリケーションファイル１１０を開くためにオープン暗証コードの入力が求められる。
【００７８】
オープン暗証コードの入力（Ｓ４０５）
入力手段２２０のキー入力手段２２１、第１のサービス提供者ＩＤ情報授受手段２２２のいずれかのデバイスを用いて情報を入力する。オープン暗証コードが直接情報として入力された場合はそのままアプリケーションファイル開錠機能１０２に対して、オープン暗証コードを入力し、オープン暗証コードではなく生体情報パターンで入力された場合は、生体情報パターン変換手段２３１を介して暗証コードに変換し、暗証コード制御手段２３０を介して、アプリケーションファイル開錠機能１０２に対して、オープン暗証コードを入力する。
オープン暗証コードの認証（Ｓ４０６）
入力されたオープン認証コードとアプリケーションファイル１１０に関連付けられているオープン認証コードが認証されれば、アプリケーションファイル１１０が開いて編集・操作が可能な状態となる。
【００７９】
サービス提供（Ｓ４０７）
アプリケーション本体機能１０１を用いてサービス被提供者へのサービス提供を施し、アプリケーションファイル１１０に対して必要なデータ入力を行い編集する。
サービス提供終了（Ｓ４０８）
サービス提供が終了すればアプリケーションファイル１１０の終了操作に入る。
アプリケーションファイルを閉じる操作（Ｓ４０９）
アプリケーションファイル１１０を閉じる操作を行う。
【００８０】
クローズ暗証コードの入力（Ｓ４１０）
サービスの提供を終了しようとするサービス提供者は、入力手段２２０のキー入力手段２２１、第１のサービス被提供者ＩＤ情報授受手段２２３のいずれかのデバイスを用いて情報を入力し、クローズ暗証コードが直接情報として入力された場合は、そのままアプリケーションファイル閉錠機能１０３に対して、クローズ暗証コードを入力し、クローズ暗証コードではなく生体情報パターンで入力された場合は、生体情報パターン変換手段２３１を介して暗証コードに変換し、暗証コード制御手段２３０を介して、アプリケーションファイル閉錠機能１０３に対してクローズ暗証コードを入力する。
アプリケーションファイル１１０への編集内容確定（Ｓ４１１）
アプリケーションファイル１１０が閉じてアプリケーションファイル１１０への編集内容が確定する。
【００８１】
選択終了暗証コードの入力（Ｓ４１２）
アプリケーションファイル１１０を閉じた後、アプリケーションファイルの選択を解除する。例えば、再度、第２のサービス被提供者ＩＤ情報授受手段２２５を介して第２のサービス被提供者ＩＤ情報を入力することによりアプリケーションファイル選択終了機能１０５に対して選択終了暗証コードとして入力される。
選択終了暗証コードの認証（Ｓ４１３）
入力された選択終了暗証コードと閉じたアプリケーションファイル１１０に関連付けられている選択終了暗証コードが認証されれば、合致したアプリケーションファイル１１０の選択が解除される。
【実施例５】
【００８２】
実施例５は、本発明のアプリケーションを搭載した本発明の業務システム例として訪問型の保険対象サービス提供支援システムを説明する。
以下、保険支払請求者とは、上記した医療保険を利用する者または介護保険を利用する者であれば特に限定されない。例えば、医療保険を利用する医療機関、歯科医院、薬局、整骨院、理学療法クリニック、作業療法クリニック等がある。また、介護保険を利用する介護事業者、理学療法クリニック、作業療法クリニック等がある。これら保険支払請求者が保険支払請求に関して利用する保険支払請求処理において、特に、ファクタリング処理について拡張されたシステムである。
なお上記で整骨院と記述している者には、接骨院のほか、鍼灸院、あん摩マッサージ院など保険支払請求が可能となる者の総称として用いている。
保険者とは自治体等（国民健康保険等）および各企業等（健康保険組合等）であり、患者は国民健康保険等や健康保険組合等の被保険者である患者である。
また、以下、金融機関と記述している部分は、銀行や信用金庫などの金融機関に加え、クレジット会社やファンドなどのノンバンク機関も含む総称として用いている。
【００８３】
実施例５の保険対象サービス支援システム２００−２Ａは、実施例４に示した保険対象サービス支援システム２００−２のタイプとなっている。
図７は、訪問型の保険対象サービスの基本的なサービス提供の流れと保険対象サービス支援システム２００−２Ａにおける処理を説明する図である。
図８は、保険対象サービス支援システム２００−２Ａに対して入力される、選択起動暗証コード、オープン暗証コード、クローズ暗証コード、選択終了暗証コードと入力デバイスの例を説明する図である。
【００８４】
図７の例では、訪問型の保険対象サービス支援システム２００−２Ａは、医師、歯科医、看護師、マッサージ師、ヘルバーなどのサービス提供者が携帯するスマートフォンなどの端末として提供されている。通信機能を介して、医療保険の保険支払請求者または介護保険の保険支払請求者が利用する保険支払請求者サーバー３００と通信可能になっている。また、レセプト審査機関が利用する審査機関サーバー４００、保険者が利用する保険者サーバー５００も併せて示されている。訪問型の保険対象サービス支援システム２００−２Ａには、レセプト作成アプリケーション１００−２が含まれている。なお、データ通信に必要なネットワーク環境については説明を省略するがそれら環境は整えられているものとする。
【００８５】
保険支払請求者において、被保険者が診療や介護など必要なサービス提供を受け、保険支払請求者が訪問型の保険対象サービス支援システム２００−２Ａを介してアプリケーションファイル１１０にレセプト作成に必要な諸データを入力すれば、保険支払請求者サーバー３００に送信され、レセプト作成処理が行われ、レセプト審査機関が利用する審査機関サーバー４００に送信され、保険者サーバー５００に提出される流れとなっている。
【００８６】
保険対象サービス支援システム２００−２Ａに入力されるデータについて鳥瞰する。
保険対象サービスの提供を受けようとする者（サービス被提供者）は自宅に居て、柔道整復師などのサービス提供者が、スマートフォン等に構成された保険対象サービス支援システム２００−２Ａを携帯し、サービス被提供者の自宅に訪問する。
訪問型の保険対象サービス支援システム２００−２Ａについても実施例４に示した処理の流れでサービス提供が進められてゆくが、処理の流れの中で暗証コードとして、選択起動暗証コード、オープン暗証コード、クローズ暗証コード、選択終了暗証コードが入力される。
【００８７】
（１）選択起動暗証コード
この例では、サービス被提供者の自宅に預託された無線ＩＣチップが貼付されており、所在地に関連付けられた第２のサービス被提供者ＩＤ情報が無線ＩＣチップの無線信号にのせられて授受可能になっている。
第２のサービス被提供者ＩＤ情報授受手段は、無線信号受信装置であり、無線信号にのせられている所在地に関連付けられた第２のサービス被提供者ＩＤ情報を抽出して入力することができるものとなっている。
図７および図８に示すように、サービス被提供者の自宅に訪問したサービス提供者が携帯している保険対象サービス支援システム２００−２Ａの第２のサービス被提供者ＩＤ情報授受手段がサービス被提供者の自宅にある無線ＩＣチップから無線信号を受信し、第２のサービス被提供者ＩＤ情報を選択起動暗証コードとしてアプリケーションファイル選択起動機能１０４に入力する。
【００８８】
（２）オープン暗証コード
この例では、図７および図８に示すように、スマートフォンに指紋パターン読み取りデバイスが装備されている。アプリケーションファイル選択起動が掛けられた後、オープン暗証コードの入力カラムがポップアップされると、スマートフォンの指紋読み取りデバイスを介してサービス提供者である施術者自身の指紋を入力し、生体情報パターン変換手段２３１を介して第１のサービス提供者ＩＤ情報として入力する。当該第１のサービス提供者ＩＤ情報をオープン暗証コードとしてアプリケーションファイル開錠機能１０２に入力する。
【００８９】
（３）クローズ暗証コード
この例では、図７および図８に示すように、アプリケーションファイルを閉じる操作をかけた後、クローズ暗証コードの入力カラムがポップアップされると、スマートフォンの指紋読み取りデバイスを介してサービス被提供者である患者の指紋を入力し、生体情報パターン変換手段２３１を介して第１のサービス被提供者ＩＤ情報として入力する。当該第１のサービス被提供者ＩＤ情報をクローズ暗証コードとしてアプリケーションファイル閉錠機能１０３に入力する。
【００９０】
（４）選択終了暗証コード
この例では、図７および図８に示すように、サービス提供者がサービス被提供者の自宅から退出する際に、無線ＩＣチップから、所在地に関連付けられた第２のサービス被提供者ＩＤ情報を、第２のサービス被提供者ＩＤ情報授受手段により再度受信する。無線信号にのせられている所在地に関連付けられた第２のサービス被提供者ＩＤ情報を抽出して第２のサービス被提供者ＩＤ情報を選択終了暗証コードとしてアプリケーションファイル選択終了機能１０５に入力する。
これら４つの暗証コードがやりとりしつつ、実施例４に示した処理の流れが実行される。
図１３は、最終的に作成されるレセプトの作成例、図１４は最終的に作成される施術録の作成例である。
なお、上記例では、サービス被提供者宅に無線ＩＣチップが預託され、第２のサービス被提供者ＩＤ情報授受手段が無線信号受信装置であり、無線ＩＣチップから発せられる無線信号を介して第２のサービス被提供者ＩＤ情報を入力する例であるが、サービス被提供者宅にビーコン発信機が預託され、第２のサービス被提供者ＩＤ情報授受手段がビーコン信号受信装置であり、ビーコン発信機から発せられるビーコン信号を介して第２のサービス被提供者ＩＤ情報を入力する例や、サービス被提供者宅に音波発信器が預託され、第２のサービス被提供者ＩＤ情報授受手段が音波信号受信装置であり、音波発信器から発せられる音波信号を介して第２のサービス被提供者ＩＤ情報を入力する例も同様に構成できる。
【実施例６】
【００９１】
実施例６は、本発明のアプリケーションを搭載した本発明の業務システム例として来院型の保険対象サービス提供支援システム２００−２Ｂを説明する。
図９は、来院型の保険対象サービスの基本的なサービス提供の流れと保険対象サービス支援システム２００−２Ｂにおける処理を説明する図である。
図１０は、保険対象サービス支援システム２００−２Ｂに対して入力される、選択起動暗証コード、オープン暗証コード、クローズ暗証コード、選択終了暗証コードと入力デバイスの例を説明する図である。
図９の例では、来院型の保険対象サービス支援システム２００−２Ｂは、医師、歯科医、看護師、マッサージ師、ヘルバーなどのサービス提供者が携帯するスマートフォンなどの端末として提供されている。図７と同様、通信機能を介して、医療保険の保険支払請求者または介護保険の保険支払請求者が利用する保険支払請求者サーバー３００と通信可能になっている。また、レセプト審査機関が利用する審査機関サーバー４００、保険者が利用する保険者サーバー５００も併せて示されている。
保険対象サービス支援システム２００−２Ｂに入力されるデータについて鳥瞰する。
医療などの保険対象サービスの提供を受けようとする者は、施術所であるサービス提供者の接骨院などに来院する。柔道整復師などのサービス提供者が、スマートフォン等に構成された保険対象サービス支援システム２００−２Ｂを携帯し、サービス被提供者の来院を待っている。
来院型の保険対象サービス支援システム２００−２Ｂについても実施例４に示した処理の流れでサービス提供が進められてゆくが、処理の流れの中で暗証コードとして、選択起動暗証コード、オープン暗証コード、クローズ暗証コード、選択終了暗証コードが入力される。
【００９２】
（１）選択起動暗証コード
この例では、図９および図１０に示すように、サービス提供者のクリニックの受付に受付端末が取り付けられており、その受付端末に保険対象サービス支援システム２００−２Ｂの入力デバイスの１つとして第２のサービス被提供者ＩＤ情報授受手段２２５である指紋読み取りデバイスが保険対象サービス支援システム２００−２Ｂの本体と通信可能に設けられている。第２のサービス被提供者ＩＤ情報授受手段は、指紋読み取りデバイスであり、患者の指紋パターンを読み取り、暗証コード制御手段２３０の生体情報パターン変換手段２３１により選択起動暗証コードのコード情報に変換され、第２のサービス被提供者ＩＤ情報を選択起動暗証コードとしてアプリケーションファイル選択起動機能１０４に入力する。
【００９３】
（２）オープン暗証コード
この例では、図９および図１０に示すように、スマートフォンに第１のサービス提供者ＩＤ情報授受手段２２２として指紋パターン読み取りデバイスが装備されている。アプリケーションファイル選択起動が掛けられた後、オープン暗証コードの入力カラムがポップアップされると、スマートフォンの指紋読み取りデバイスを介してサービス提供者である施術者自身の指紋を入力し、生体情報パターン変換手段２３１を介して第１のサービス提供者ＩＤ情報として入力する。当該第１のサービス提供者ＩＤ情報をオープン暗証コードとしてアプリケーションファイル開錠機能１０２に入力する。
【００９４】
（３）クローズ暗証コード
この例では、図９および図１０に示すように、アプリケーションファイルを閉じる操作をかけた後、クローズ暗証コードの入力カラムがポップアップされると、第１のサービス被提供者ＩＤ情報授受手段２２３であるスマートフォンの指紋読み取りデバイスを介してサービス被提供者である患者の指紋を入力し、生体情報パターン変換手段２３１を介して第１のサービス被提供者ＩＤ情報として入力する。当該第１のサービス被提供者ＩＤ情報をクローズ暗証コードとしてアプリケーションファイル閉錠機能１０３に入力する。
【００９５】
（４）選択終了暗証コード
この例では、図９および図１０に示すように、患者への施術が終了した後、アプリケーションファイルの選択を解除する際、選択終了暗証コードの入力カラムがポップアップされると、サービス提供者が、第２のサービス提供者ＩＤ情報授受手段２２４として指紋パターン読み取りデバイスからサービス提供者である施術者自身の指紋を入力し、生体情報パターン変換手段２３１を介して第２のサービス提供者ＩＤ情報として入力する。当該第２のサービス提供者ＩＤ情報を選択終了暗証コードとしてアプリケーションファイル選択終了機能１０５に入力する。
これら４つの暗証コードがやりとりしつつ、実施例４に示した処理の流れが実行される。
図１３は、最終的に作成されるレセプトの作成例、図１４は最終的に作成される施術録の作成例である。
【実施例７】
【００９６】
実施例７は、本発明のアプリケーションを搭載した本発明の業務システム例として来所型の介護保険対象サービス提供支援システム２００−２Ｃを説明する。
図１１は、来所型の介護保険対象サービスの基本的なサービス提供の流れと介護保険対象サービス支援システム２００−２Ｃにおける処理を説明する図である。
図１２は、介護保険対象サービス支援システム２００−２Ｃに対して入力される、選択起動暗証コード、オープン暗証コード、クローズ暗証コード、選択終了暗証コードと入力デバイスの例を説明する図である。
保険対象サービス支援システム２００−２Ｃに入力されるデータについて鳥瞰する。
保険対象サービス支援システム２００−２Ｃに入力されるデータについて鳥瞰する。
介護施設において介護保険対象サービスの提供を受けようとする者は、介護サービス提供者の介護施設などに来所する。介護員などのサービス提供者が、スマートフォン等に構成された保険対象サービス支援システム２００−２Ｃを携帯し、サービス被提供者の来所を待っている。
来所型の介護保険対象サービス支援システム２００−２Ｃについても実施例４に示した処理の流れでサービス提供が進められてゆくが、処理の流れの中で暗証コードとして、選択起動暗証コード、オープン暗証コード、クローズ暗証コード、選択終了暗証コードが入力される。
【００９７】
（１）選択起動暗証コード
この例では、図１１および図１２に示すように、サービス提供者の介護施設の受付に受付端末が取り付けられており、その受付端末に介護保険対象サービス支援システム２００−２Ｃの入力デバイスの１つとして第２のサービス被提供者ＩＤ情報授受手段２２５である指紋読み取りデバイスが介護保険対象サービス支援システム２００−２Ｃの本体と通信可能に設けられている。第２のサービス被提供者ＩＤ情報授受手段は、指紋読み取りデバイスであり、患者の指紋パターンを読み取り、暗証コード制御手段２３０の生体情報パターン変換手段２３１により選択起動暗証コードのコード情報に変換され、第２のサービス被提供者ＩＤ情報を選択起動暗証コードとしてアプリケーションファイル選択起動機能１０４に入力する。
【００９８】
（２）オープン暗証コード
この例では、図１１および図１２に示すように、スマートフォンに第１のサービス提供者ＩＤ情報授受手段２２２として指紋パターン読み取りデバイスが装備されている。アプリケーションファイル選択起動が掛けられた後、オープン暗証コードの入力カラムがポップアップされると、スマートフォンの指紋読み取りデバイスを介してサービス提供者である介護員自身の指紋を入力し、生体情報パターン変換手段２３１を介して第１のサービス提供者ＩＤ情報として入力する。当該第１のサービス提供者ＩＤ情報をオープン暗証コードとしてアプリケーションファイル開錠機能１０２に入力する。
【００９９】
（３）クローズ暗証コード
この例では、図１１および図１２に示すように、アプリケーションファイルを閉じる操作をかけた後、クローズ暗証コードの入力カラムがポップアップされると、第１のサービス被提供者ＩＤ情報授受手段２２３であるスマートフォンの指紋読み取りデバイスを介してサービス被提供者である患者の指紋を入力し、生体情報パターン変換手段２３１を介して第１のサービス被提供者ＩＤ情報として入力する。当該第１のサービス被提供者ＩＤ情報をクローズ暗証コードとしてアプリケーションファイル閉錠機能１０３に入力する。
【０１００】
（４）選択終了暗証コード
この例では、図１１および図１２に示すように、患者への介護サービスが終了した後、アプリケーションファイルの選択を解除する際、選択終了暗証コードの入力カラムがポップアップされると、サービス提供者である介護員が、第２のサービス提供者ＩＤ情報授受手段２２４として指紋パターン読み取りデバイスからサービス提供者である介護員自身の指紋を入力し、生体情報パターン変換手段２３１を介して第２のサービス提供者ＩＤ情報として入力する。当該第２のサービス提供者ＩＤ情報を選択終了暗証コードとしてアプリケーションファイル選択終了機能１０５に入力する。
これら４つの暗証コードがやりとりしつつ、実施例４に示した処理の流れが実行される。
図１３は、最終的に作成されるレセプトの作成例、図１４は最終的に作成される施術録の作成例である。
【０１０１】
なお、上記の実施例５、６、７において、第１のサービス被提供者ＩＤ情報授受手段が、指紋読み取りデバイスを介した指紋パターンの入力例となっているが、サービス被提供者にサービスの内容を表示する表示手段と、表示手段で表示されたサービスの内容が正当であることを示す承認情報として制御する承認手段を備え、承認手段を介して、サービス被提供者から得られた承認情報の入力ができ、承認情報が第１のサービス被提供者ＩＤ情報とする構成であっても良い。
【産業上の利用可能性】
【０１０２】
本発明は、コンピュータシステムで稼働するアプリケーションに関する。特に、正常に開いて使用を開始し、正常に使用を終了して閉じることを確保せしめたアプリケーションに関する。アプリケーションの用途は限定されず、様々な用途のアプリケーションに適用できる。
また、本発明のアプリケーションを搭載したコンピュータシステムも用途は限定されず、多様な業務システムに適用できる。
【図１】
2019029040.tif 000003
【図２】
2019029040.tif 000004
【図３】
2019029040.tif 000005
【図４】
2019029040.tif 000006
【図５】
2019029040.tif 000007
【図６】
2019029040.tif 000008
【図７】
2019029040.tif 000009
【図８】
2019029040.tif 000010
【図９】
2019029040.tif 000011
【図１０】
2019029040.tif 000012
【図１１】
2019029040.tif 000013
【図１２】
2019029040.tif 000014
【図１３】
2019029040.tif 000015
【図１４】
2019029040.tif 000016
【図１５】
2019029040.tif 000017
【図１６】
2019029040.tif 000018